(57)【要約】【課題】熱の籠りやすい筐体内を換気できる遮蔽型のヘッドマウントディスプレイを提供する。【解決手段】使用者の眼を覆うようにその顔面に当てられて使用される遮蔽型のヘッドマウントディスプレイに用いられる筐体であって、少なくとも１つの開口を有する筐体本体と、開口を覆う遮光性を有する通気性シートとを、備えるヘッドマウントディスプレイ用筐体及びそれを用いたヘッドマウントディスプレイ。【選択図】図１
2019062250.tif 000002
【特許請求の範囲】
【請求項１】
遮蔽型のヘッドマウントディスプレイに用いられる筐体であって、
少なくとも１つの開口を有する筐体本体と、前記開口を覆う遮光性を有する通気性シートとを、備えることを特徴とするヘッドマウントディスプレイ用筐体。
【請求項２】
前記通気性シートは布帛を含む請求項１に記載のヘッドマウントディスプレイ用筐体。
【請求項３】
前記布帛は不織布、または不織布を含む皮革様シートを含む請求項２に記載のヘッドマウントディスプレイ用筐体。
【請求項４】
前記通気性シートは、波長３８０〜７８０ｎｍの全可視光透過率が１０％以下である請求項１〜３の何れか１項に記載のヘッドマウントディスプレイ用筐体。
【請求項５】
前記筐体本体は正面と側面とを備えた箱状であり、前記側面に少なくとも１つの前記開口を有し、
前記側面を覆うように前記通気性シートが積層されている請求項１〜４の何れか１項に記載のヘッドマウントディスプレイ用筐体。
【請求項６】
使用者の眼を覆うように顔面に当てられて使用される遮蔽型のヘッドマウントディスプレイであって、
請求項１〜５の何れか１項に記載のヘッドマウントディスプレイ用筐体と、
前記ヘッドマウントディスプレイ用筐体に収容された像を表示するための像表示部と、
前記ヘッドマウントディスプレイ用筐体を前記使用者の眼を覆うように顔面に当てた状態で頭部に固定するための固定部と、を少なくとも備えることを特徴とする遮蔽型のヘッドマウントディスプレイ。
【請求項７】
前記ヘッドマウントディスプレイ用筐体内に換気装置をさらに備える請求項６に記載の遮蔽型のヘッドマウントディスプレイ。
【発明の詳細な説明】
【技術分野】
【０００１】
本発明は、ヘッドマウントディスプレイ用筐体及び遮蔽型ヘッドマウントディスプレイに関する。
【背景技術】
【０００２】
従来、使用者の眼を覆うように顔に当てられて使用される遮蔽型のヘッドマウントディスプレイが知られている。
【０００３】
遮蔽型のヘッドマウントディスプレイは、箱形状の筐体内に、映像や画像を表示するディスプレイ（像表示部）及びそれを制御するプロセッサを含む表示制御部や両眼に対向させて配置される接眼レンズを収容し、ゴーグルのように使用者の頭部に装着して接眼レンズから像表示部に表示される像を覗かせるように、顔面に当てられて使用される。使用者は接眼レンズを通して、像表示部に表示される再生される像を視認する。遮蔽型のヘッドマウントディスプレイは、右目及び左目の視界を外部から遮って、使用者を再生される像の鑑賞に没入させることにより、仮想現実を感じさせることができる。
【０００４】
遮蔽型のヘッドマウントディスプレイの筐体には、鮮明な画像を使用者に提示するために、像表示部を配置される筐体内、及び、ヘッドマウントディスプレイと顔との間に形成される空間に外部の光が侵入しないように視界を外部から遮る必要がある。筐体内には、像表示部とともに、像の表示を制御するための表示制御部が収容される。表示制御部は再生装置から送信される像データを高速に処理するために、作動時に発熱する。筐体が密閉された構造である場合、像表示部や表示制御部の作動時に発せられる熱が筐体内に籠り、使用者に熱を感じさせ、顔面からの発汗による不快感や違和感を与えることが問題となっていた。
【０００５】
遮蔽型のヘッドマウントディスプレイの装着時の熱による不快感を改善する技術として、次のような技術が知られている。例えば、下記特許文献１は、ユーザの頭部に装着して使用される遮蔽型のヘッドマウントディスプレイであって、ヘッドマウントディスプレイが装着されるときにユーザの視界を覆う内部空間を形成する筐体と、筐体に収容され、ユーザに映像を提示する表示部と、ヘッドマウントディスプレイが装着されるときにユーザの額と筐体との間に配置される額当て部とを備え、額当て部は、筐体の内部空間と筐体の外部とを結ぶ気体の導通路を備え、導通路は、外部側の開口部から入射した光が表示部に進入することを規制するように構成されているヘッドマウントディスプレイを開示する。また、下記特許文献２は、像表示部が設けられた本体部が使用者の頭部に装着されるヘッドマウントディスプレイに用いる換気装置であって、空気を取り込みかつ取り込んだ空気を送出可能な送風部と、送風部に一端が接続され、送風部で形成された気流を一端と他端との間で案内する気流案内部と、を備え、気流案内部は、他端が本体部と頭部との間に開放される換気装置を開示する。
【先行技術文献】
【特許文献】
【０００６】
【特許文献１】特開２０１７−１７５６５号公報
【特許文献２】特開２０１７−２２６５７号公報
【発明の概要】
【発明が解決しようとする課題】
【０００７】
筐体に収容される、像表示部や像表示部を制御する表示制御部は、通常、筐体内の最奥部に配置されて密閉される。そのために、像表示部や表示制御部が発する熱が筐体内に籠り、その熱が使用者の顔面に伝わって、使用者に不快感を与え、また、装置の作動に悪影響を与えることも懸念される。上記特許文献１に記載された技術によれば、使用者の額と筐体との間に配置される額当て部に導通路を配置しているために、使用者の額と筐体との間の空間を換気することはできる。また、特許文献２に記載された技術によれば、本体部と頭部との間に気流案内部の開口を設けているために、使用者の額と筐体との間の空間を換気することはできる。しかしながら、それらの技術によれば、顔面から離れた筐体の内部に配置される、例えば、像表示部や制御部等の要素からの発熱を、それらに近い部分で放出することができなかった。
【０００８】
本発明は、遮蔽型のヘッドマウントディスプレイの筐体内を換気できるヘッドマウントディスプレイの筐体を提供することを目的とする。
【課題を解決するための手段】
【０００９】
本発明の一局面は、使用者の眼を覆うように顔面に当てられて使用される遮蔽型のヘッドマウントディスプレイに用いられる筐体であって、少なくとも１つの開口を有する筐体本体と、開口を覆う遮光性を有する通気性シートとを、備えるヘッドマウントディスプレイ用筐体である。このような構成によれば、筐体本体に開口を設け、開口を遮光性を有する通気性シートで覆うことにより、通気性シートを通じて、筐体内を換気することができる。また、通気性シートが遮光性を有することにより、開口から筐体内に外光が侵入することを抑制できる。さらに、開口は、筐体本体の所望の位置に設けることができるために、筐体に収容された発熱源になる像表示部や、表示制御部に近い部分に開口を設けることにより、筐体内に籠る熱を放出させやすくすることができる。
【００１０】
また、通気性シートは布帛、好ましくは不織布、または不織布を含む皮革様シートを含むことが、通気性と遮光性とを調整しやすい点、及び意匠性にも優れる点から好ましい。
【００１１】
また、通気性シートは、波長３８０〜７８０ｎｍの全可視光透過率が１０％以下であることが、筐体内への外光の侵入を充分に抑制することができる点から好ましい。
【００１２】
また、筐体本体は正面と側面とを備えた箱状であり、側面に少なくとも１つの開口を有し、側面を覆うように通気性シートが積層されていることが、側面に設けられた開口の存在を外部から視認できないように覆い隠すことができるために、意匠性に優れる点から好ましい。
【００１３】
また、本発明の他の一局面は、使用者の眼を覆うように顔面に当てられて使用される遮蔽型のヘッドマウントディスプレイであって、上記何れかのヘッドマウントディスプレイ用筐体と、筐体に収容された像を表示するための像表示部と、ヘッドマウントディスプレイ用筐体を使用者の眼を覆うように顔面に当てた状態で頭部に固定するための固定部とを、少なくとも備える遮蔽型のヘッドマウントディスプレイである。このようなヘッドマウントディスプレイにおいては、筐体内に換気装置をさらに設けることにより、開口を通じて筐体内を強制的に換気してもよい。
【発明の効果】
【００１４】
本発明によれば、筐体内を換気できる遮蔽型のヘッドマウントディスプレイを得ることができる。
【図面の簡単な説明】
【００１５】
【図１】図１は、本実施形態の遮蔽型のヘッドマウントディスプレイ１０の模式図であり、（ａ）は斜視模式図、（ｂ）は部分分解模式図である。
【図２】図２は、ヘッドマウントディスプレイ１０の筐体の構造を説明するための説明図である。
【図３】図３は、ヘッドマウントディスプレイ１０を再生装置２０に接続してなるヘッドマウントディスプレイシステム１００のブロック図である。
【図４】図４は、ヘッドマウントディスプレイ１０を使用者Ｕに装着させ、使用するときのヘッドマウントディスプレイシステム１００の全体構成を示す説明図である。
【図５】図５は、ヘッドマウントディスプレイの筐体の構造の他の例を説明するための説明図である。
【図６】図６は、ヘッドマウントディスプレイの筐体の構造の他の例を説明するための説明図で
【図７】図７は、ヘッドマウントディスプレイの筐体の構造の他の例を説明するための説明図である。ある。
【図８】図８は、ヘッドマウントディスプレイの筐体内に換気装置を設けた例を説明するための説明図である。
【発明を実施するための形態】
【００１６】
以下に、本発明に係る遮蔽型のヘッドマウントディスプレイの筐体及びそれを用いたヘッドマウントディスプレイの一実施形態を図面を参照して説明する。
【００１７】
図１は、本実施形態の遮蔽型のヘッドマウントディスプレイ１０の模式図であり、（ａ）は斜視模式図、（ｂ）はヘッドマウントディスプレイ１０の筐体１からレンズユニット２を取り外したときの様子を説明する部分分解模式図である。また、図２は、ヘッドマウントディスプレイ１０の筐体１の構造を説明するための説明図である。また、図３は、ヘッドマウントディスプレイ１０を再生装置２０に接続してなるヘッドマウントディスプレイシステム１００のブロック図である。また、図４は、ヘッドマウントディスプレイ１０を使用者Ｕに装着させ、使用するときのヘッドマウントディスプレイシステム１００の全体構成を示す説明図である。
【００１８】
図１中、１は筐体、２はレンズユニット、２ａは右目用接眼レンズ、２ｂは左目用接眼レンズ、２ｃは顔当て部材、２ｄは鼻あて部、２ｅ，２ｆはレンズ装着凹部、３は固定ベルト、４ａは使用者の右目に像を提示するための右目用像表示部、４ｂは左目に像を提示するための左目用像表示部、５は像表示のための表示制御部、６は像信号入力端子である。以下、右目用像表示部４ａと左目用像表示部４ｂとをまとめて像表示部４とも称する。
【００１９】
顔当て部材２ｃは、装着時に顔面に当接する部分が密着するように、例えばウレタン等の多孔質弾性体で形成されている。筐体１に装着されるレンズユニット２は、右目用接眼レンズ２ａ及び左目用接眼レンズ２ｂをレンズユニット本体２ｊのレンズ装着凹部２ｅ，２ｆに配し、さらにレンズユニット本体２ｊに顔当て部材２ｃを配することにより形成される。また、固定ベルト３は、使用者Ｕの頭部にヘッドマウントディスプレイ１０を固定するためのベルト３ａ及び長さ調節するためのサイズ調節具３ｂを備える。
【００２０】
右目用接眼レンズ２ａ及び左目用接眼レンズ２ｂは、ヘッドマウントディスプレイ１０を使用者に装着させたときに、それぞれ使用者の右目及び左目に対向するように配置される。また、右目用接眼レンズ２ａ及び左目用接眼レンズ２ｂは、それぞれ、右目用像表示部４ａ及び左目用像表示部４ｂに対向するように配置される。また、右目用接眼レンズ２ａ及び左目用接眼レンズ２ｂのそれぞれは、右目または左目のそれぞれの視界を制限すべく、筐体１の内部空間に向けて突出するカップ状のレンズ装着凹部２ｅ，２ｆの底部にそれぞれ配されており、装着時に使用者の右目または左目のそれぞれの視界を制限するように配されている。このように各要素を配置することにより、使用者に右目で右目用接眼レンズ２ａを通して右目用像表示部４ａに表示される像を視認させ、左目で左目用接眼レンズ２ｂを通して左目用像表示部４ｂに表示される像を視認させる。
【００２１】
筐体１は、スリット状の複数の孔である開口ｖを備えた、遮光性の成形体である筐体本体１ａと、筐体本体１ａに積層された、遮光性を有する例えば布帛である通気性シート１ｂとを備える。筐体１は、例えば、図２に示すように、開口ｖを備えた筐体本体１ａに、開口ｖを覆うように通気性シート１ｂを積層するように接着して製造される。
【００２２】
図３は、ヘッドマウントディスプレイ１０に像データを送信する再生装置２０を接続したヘッドマウントディスプレイシステム１００のブロック図である。ヘッドマウントディスプレイシステム１００は、ヘッドマウントディスプレイ１０と、再生装置２０と、ヘッドマウントディスプレイ１０に電力を供給するバッテリーユニット１５と、を備える。
【００２３】
ヘッドマウントディスプレイ１０においては、筐体本体１ａの開口ｖを通気性シート１ｂで覆った筐体１内に、右目用像表示部４ａ、左目用像表示部４ｂ、表示制御部５、像信号入力端子６が収容されている。右目用像表示部４ａ及び左目用像表示部４ｂは、液晶ディスプレイや有機ＥＬディスプレイ等の表示素子であり、ハーフミラーを備えたものであってもよい。また、表示制御部５は、再生装置２０から送信された像データを受信し、その像データに基づき、右目用像表示部４ａ及び左目用像表示部４ｂのそれぞれに再生された像の出力を実行するプログラム及びプロセッサ等を含む処理装置である。像信号入力端子６はＨＤＭＩ（High-Definition Multimedia Interface；登録商標）端子等であり、対応する端子を有する信号を伝送するための伝送ケーブル７が接続される。また、ヘッドマウントディスプレイ１０は、給電ケーブル８で接続されたバッテリーユニット１５から給電される。
【００２４】
再生装置２０は、ヘッドマウントディスプレイ１０に送信する像データを記憶する記憶部２１と、像データの記憶部２１への格納，格納された像データの再生，ヘッドマウントディスプレイ１０への信号の送信を制御する再生制御部２２、ＨＤＭＩケーブル等の伝送ケーブル７を接続するＨＤＭＩ端子等の像信号出力端子２３とを備える。再生装置２０としては、例えば、ＨＤＤレコーダー、スマートフォン等のモバイル機器、パソコン等が用いられる。ヘッドマウントディスプレイ１０は、再生装置２０に伝送ケーブル７で接続され、再生装置２０が送信する信号を適宜受信する。ヘッドマウントディスプレイ１０は再生装置２０に伝送ケーブル７により有線接続されているが、有線接続の代わりに無線接続されていてもよい。
【００２５】
再生装置２０により再生され、伝送ケーブル７で送信された再生データは、ヘッドマウントディスプレイ１０の像信号入力端子６を経て表示制御部５に入力される。詳しくは、表示制御部５は、再生装置２０から送信された再生データの信号を、右目用像表示部４ａまたは左目用像表示部４ｂに表示するために像情報に変換する。また、表示制御部５は、右目用像表示部４ａ及び左目用像表示部４ｂに表示する像に視差を与える処理を行うことにより、使用者に３Ｄ画像として視認されるようにデータ変換することもある。表示制御部５は、生成させた右眼用または左眼用の像情報を右目用像表示部４ａまたは左目用像表示部４ｂにそれぞれ出力させる。そして、右目用像表示部４ａ及び左目用像表示部４ｂはそれぞれ入力された像情報に基づいて画像や映像を表示する。ヘッドマウントディスプレイ１０を装着した使用者Ｕは、右目用接眼レンズ２ａを通して右目用像表示部４ａに表示された像を視認し，左目用接眼レンズ２ｂを通して左目用像表示部４ｂに表示された像を視認する。右目用像表示部４ａ及び左目用像表示部４ｂは、非透過型でも透過型でもよい。なお、右目用像表示部４ａまたは左目用像表示部４ｂは、それぞれ右目用接眼レンズ２ａまたは左目用接眼レンズ２ｂに対応して像を表示するものであれば、一体化されたディスプレイであってもよい。
【００２６】
ヘッドマウントディスプレイ１０は、図４に示すように、右目用接眼レンズ２ａ，左目用接眼レンズ２ｂを使用者Ｕの右目または左目でそれぞれ覗き込ませるようにレンズユニット２の顔当て部材２ｃを使用者Ｕの顔面に当接させ、鼻あて部２ｄに鼻を当て、使用者Ｕの頭部に固定ベルト３で固定されて装着される。レンズユニット２は、使用者Ｕの両目の視界をその周囲から遮蔽し、顔面と右目用接眼レンズ２ａ，左目用接眼レンズ２ｂとの間に空間を形成する。遮蔽型のヘッドマウントディスプレイにおいては、像表示部４に表示される像を視認させやすくするために、筐体１の内部空間及び顔面の表面に形成される空間に光が侵入しないように光遮蔽空間を形成させる。光遮蔽空間には、外部から通気が遮られているために熱が籠りやすい。図１に示したように、筐体１には、筐体本体１ａに開口ｖを設け、開口ｖを遮光性を有する通気性シート１ｂで覆うように構成されている。このような筐体１を用いることにより、通気性シート１ｂ及び開口ｖを通じて、筐体１の内部空間に外光が侵入することを抑制しながら換気することができる。筐体１においては、図２に示したように、筐体本体１ａの開口ｖが形成された上側面の全体を覆うように通気性シート１ｂが積層されて接着されて、開口ｖが遮光性を有する通気性シート１ｂで覆われて外部から隠ぺいされるために、開口ｖを設けても意匠性が損なわれない。
【００２７】
ヘッドマウントディスプレイ１０においては、図２に示したように筐体本体１ａの上側面にスリット状の複数の孔からなる開口ｖを設けたが、開口ｖの形状は適宜変更できる。例えば、図５に示すように、上側面に、複数の大きな孔からなる開口ｖを設けたフレーム状の筐体本体３１ａの側面を通気性シート１ｂで覆うように一体化した筐体３１のような形状や、図６に示すように、上側面及び下側面にそれぞれスリット状の複数の孔からなる開口ｖを設けた筐体本体４１ａの側面を通気性シート１ｂで覆うように一体化した筐体４１のような形状や、図７に示すように、左側面及び右側面にそれぞれスリット状の複数の孔からなる開口ｖを設けた筐体本体５１ａの側面を通気性シート１ｂで覆うように一体化した筐体５１のような形状であってもよい。筐体４１や筐体５１のように、対向する面にそれぞれ開口を設けた場合には、空気の流れができるために換気効率が向上する。
【００２８】
筐体本体を成形するための素材としては、従来からヘッドマウントディスプレイの筐体に用いられている素材であれば特に限定なく用いられる。その具体例としては、例えば、ポリカーボネート樹脂、ポリエステル系樹脂、ポリオレフィン系樹脂、ポリアミド系樹脂等の樹脂が挙げられる。
【００２９】
また、遮光性を有する通気性シートとしては、通気性と遮光性とを兼ね備えるシート素材がとくに限定なく用いられる。このようなシート素材の具体例としては、例えば、絡合不織布，抄紙不織布，織布，織物，編物等の布帛や、これらの布帛の空隙にポリウレタン等の高分子弾性体を付与した人工皮革や合成皮革のような皮革様素材が挙げられる。また、無孔の樹脂シートに通気孔を設けたようなシートであってもよい。
【００３０】
ここで、遮光性とは可視光の透過を遮蔽する不透明性を意味し、具体的には、波長３８０〜７８０ｎｍの全可視光透過率が１０％以下であること、さらには、８％以下であること、とくには６％以下であることが好ましい。また、通気性シートとは、通気性を有するシートである。通気性シートの通気性としては、通気度が５〜４０ｃｍ３／（ｃｍ２・秒）、さらには１０〜３０ｃｍ３／（ｃｍ２・秒）であることが、遮光性を維持しながら充分な通気を確保できる点から好ましい。
【００３１】
通気性シートの厚さは、特に限定されないが、例えば、１００〜３０００μｍ、さらには、１５０〜１０００μｍ、とくには、２００〜９００μｍであることが好ましい。通気性シートが薄すぎる場合には充分な遮光性を確保しにくくなり、厚すぎる場合には通気性が低下する傾向がある。
【００３２】
上記遮光性を有する通気性シートの中では、絡合不織布、または絡合不織布にポリウレタン等の高分子弾性体を付与した人工皮革等の皮革様素材、とくには、皮革様素材が意匠性に優れるとともに、高い通気性を確保しながら、繊維密度を高くしたり、濃色に着色したりすることにより高い遮光性を維持できる点から好ましい。以下、通気性シートの代表例として、絡合不織布及び絡合不織布を含む皮革様素材について詳しく説明する。
【００３３】
繊維を形成する樹脂成分である熱可塑性樹脂は特に限定されず、例えば、ポリエチレンテレフタレート（ＰＥＴ）等のポリエステルや、ポリアミド６，ポリアミド６６等のポリアミド；ポリプロピレン，ポリエチレン等のポリオレフィン等が挙げられる。また、絡合不織布を形成する繊維の繊度は遮光性を確保できる限り特に限定されないが、繊度２ｄｔｅｘ以下、さらには、０．００１〜１ｄｔｅｘ、とくには０．０１〜０．６ｄｔｅｘであることが好ましい。繊度が高すぎる場合には、緻密な不織布が得られにくくなる傾向がある。
【００３４】
繊維の繊維長は特に限定されず、紡糸後に繊維長が３〜８０ｍｍ程度になるように意図的に切断された短繊維であるステープルであっても、８０ｍｍ以上の適度な長さに切断されたフィラメントであっても、紡糸後に意図的にカットしない連続繊維であってもよい。これらの中では、繊維密度の高い不織布が得られる点から連続繊維がとくに好ましい。連続繊維の繊維長は、技術的に製造可能であり、かつ、製造工程において不可避的に切断されない限り、数ｍ、数百ｍ、数ｋｍあるいはそれ以上の繊維長であってもよい。なお、絡合時のニードルパンチや、表面のバフィングにより、製造工程において不可避的に長繊維の一部が切断されて短繊維になることもある。
【００３５】
絡合不織布の空隙にポリウレタン等の高分子弾性体を付与することにより人工皮革等の皮革様素材が得られる。高分子弾性体の種類は特に限定されない。その具体例としては、例えば、ポリウレタン、アクリル系弾性体、ポリウレタンアクリル複合弾性体、ポリ塩化ビニル、合成ゴム等が挙げられる。これらの中では、ポリウレタンが接着性や機械特性が優れる点から好ましい。高分子弾性体の含有割合としては、極細繊維との合計量に対して、５〜５０質量％、さらには、１２〜４０質量％、とくには８〜３０％であることが、通気性を阻害せずに高い遮光性を維持させることができる点から好ましい。
【００３６】
皮革様素材は、遮光性を向上させるために、着色剤で着色されていることが好ましい。皮革様素材に着色剤を含有させる方法は特に限定されない。例えば、繊維を溶融紡糸する際繊維中に顔料を配合したり、無着色の繊維を染料で染色したり、高分子弾性体を顔料や染料で着色したり、インクジェットプリントにより表面をインクで印刷してもよい。また、これらを組み合わせて着色してもよい。これらの中では、遮光性の点及び堅牢度が高い点から顔料で着色する方法がとくに好ましい。顔料の具体例としては、例えば、カーボンブラックや、フタロシアニン系，アントラキノン系，キナクドリン系，ジオキサジン系，ペリレン系，チオインジゴ系，アゾ系等の有機顔料や、酸化チタン，べんがら，クロムレッド，モリブデンレッド，リサージ，酸化鉄等の無機顔料が挙げられる。また、染料は堅牢性の観点から適宜選択されるが、ポリエステルの場合には、カチオン可染性ポリエステルと用い、カチオン染料で染色することが堅牢性に優れる点から好ましい。
【００３７】
筐体本体に通気性シートを一体化する方法としては、筐体本体に通気性シートを接着剤で貼りあわせて接着する方法や、金型内に収容された通気性シートに射出成形することにより成形される射出成形体である筐体本体に通気性シートを一体化するインモールド成形する方法が挙げられる。
【００３８】
以上、本発明に係る遮蔽型のヘッドマウントディスプレイ用筐体及びヘッドマウントディスプレイの一実施形態を説明したが、具体的な構成については、本発明の要旨を逸脱しない範囲で、適宜変更することができる。
【００３９】
例えば、図８に示すように、筐体１内の開口ｖ1の周囲にファン等の換気装置１６を配置し、開口ｖ1から筐体１内の空気を排気し、開口ｖ２から外気を取り込むように気流の流れを形成させることにより、筐体１内に配置された像表示部４や表示制御部５からの放熱により熱せられた空気を外部に排出して筐体内を冷却するような構成を採用してもよい。
【実施例】
【００４０】
以下、実施例により本発明をさらに具体的に説明する。なお、本発明の範囲はこれらの実施例に何ら限定されるものではない。
【００４１】
［実施例１］
繊度０．０８ｄｔｅｘのカチオン可染性ポリエステル繊維の絡合不織布にポリウレタンを１４質量％含浸付与した人工皮革基体を、カチオン染料でグレイ色に染色して表面の繊維を起毛させた起毛調人工皮革である皮革様シートを準備した。この皮革様シートは、厚さ５００μｍ、見かけ密度０．５３０ｇ/ｃｍ3、目付２６５ｇ/ｃｍ2であった。この皮革様シートの波長３８０〜７８０ｎｍの全可視光透過率をＪＩＳ−Ｋ７１３６に規定される全光線透過率（％）測定法に準拠して測定したところ、０．９％であった。また、ＪＩＳ Ｌ １０９６  ガーレ形法に準じて測定した通気度は１３．５ｃｍ３／（ｃｍ２・秒）であった。結果を下記表１に示す。
【表１】
2019062250.tif 000003
【００４２】
このようにして得られた皮革様シートを用い、図２に示すように、上側面に開口を有するヘッドマウントディスプレイ用の筐体本体の側面全面を覆うようにウレタン系接着剤で接着した。このようにして、ヘッドマウントディスプレイ用の筐体を製造した。得られたヘッドマウントディスプレイ用の筐体は、その内部が遮光されており、また、通気性を備えるものであった。
【００４３】
［実施例２］
実施例１において、グレイ色に染色した人工皮革基体を用いた代わりに、カーボンブラックを１質量％含有する繊度０．０８ｄｔｅｘのポリエステル繊維の不織布にポリウレタンを１４質量％含浸付与した人工皮革基体を用いて製造された、厚さ３５０μｍの皮革様シートを用いた以外は実施例１と同様にして皮革様シートを評価し、また、ヘッドマウントディスプレイ用の筐体を製造した。結果を表１に示す。
【００４４】
［実施例３］
実施例１においてグレイ色に染色した人工皮革基体を用いた代わりに、カーボンブラックを５質量％含有する繊度０．０８ｄｔｅｘのポリエステル繊維の不織布にポリウレタンを１４質量％含浸付与した人工皮革基体を用いて製造された、厚さ４７０μｍの皮革様シートを用いた以外は実施例１と同様にして皮革様シートを評価し、また、ヘッドマウントディスプレイ用の筐体を製造した。結果を表１に示す。
【００４５】
［実施例４］
実施例１においてグレイ色に染色した人工皮革基体を用いた代わりに、カーボンブラックを１質量％含有する繊度０．０８ｄｔｅｘのポリエステル繊維の不織布にポリウレタンを１４質量％含浸付与した人工皮革基体を、インクジェットプリントにより表面をグレイに印刷した厚さ４４０μｍの皮革様シートを用いた以外は実施例１と同様にして皮革様シートを評価し、また、ヘッドマウントディスプレイ用の筐体を製造した。結果を表１に示す。
【００４６】
［実施例５］
実施例１においてグレイ色に染色した人工皮革基体を用いた代わりに、カーボンブラックを１質量％含有する繊度０．０８ｄｔｅｘのポリエステル繊維の不織布にポリウレタンを１４質量％含浸付与した人工皮革基体を、インクジェットプリントにより表面をグレイに印刷した、厚さ４７０μｍの皮革様シートを用いた以外は実施例１と同様にして皮革様シートを評価し、また、ヘッドマウントディスプレイ用の筐体を製造した。結果を表１に示す。
【００４７】
［実施例６，７］
実施例１においてグレイ色に染色した人工皮革基体を用いた代わりに、インクジェットプリントにより表面を青または赤緑に印刷した、厚さ４５０μｍの皮革様シートを用いた以外は実施例１と同様にして皮革様シートを評価し、また、ヘッドマウントディスプレイ用の筐体を製造した。結果を表１に示す。
【００４８】
［実施例８］
実施例１において、染色を省略し、厚さ４５０μｍに調整した皮革様シートを用いた以外は実施例１と同様にして皮革様シートを評価し、また、ヘッドマウントディスプレイ用の筐体を製造した。結果を表１に示す。
【符号の説明】
【００４９】
１，３１，４１，５１  筐体
１ａ，３１ａ，４１ａ，５１ａ  筐体本体
１ｂ  通気性シート
２  レンズユニット
２ａ  右目用接眼レンズ
２ｂ  左目用接眼レンズ
２ｃ  顔当て部材
２ｄ  鼻あて部
２ｅ  レンズ装着凹部
２ｆ  レンズ装着凹部
２ｊ  レンズユニット本体
３  固定ベルト
３ａ  ベルト
３ｂ  サイズ調節具
４  像表示部
４ａ  右目用像表示部
４ｂ  左目用像表示部
５  表示制御部
６  像信号入力端子
７  伝送ケーブル
１０  ヘッドマウントディスプレイ
１５  バッテリーユニット
１６  換気装置
２０  再生装置
２１  記憶部
２２  再生制御部
２３  像信号出力端子
１００  ヘッドマウントディスプレイシステム
Ｕ  使用者
ｖ  開口
【図１】
2019062250.tif 000004
【図２】
2019062250.tif 000005
【図３】
2019062250.tif 000006
【図４】
2019062250.tif 000007
【図５】
2019062250.tif 000008
【図６】
2019062250.tif 000009
【図７】
2019062250.tif 000010
【図８】
2019062250.tif 000011